(57)【要約】【課題】この発明は照明装置に使用される、電球を覆うカバーに関するものを提供する。【解決手段】  電球の形状を六角形などの多角形にする。または球面の一部を平らか凹状にする。または球の表面に取手をつける。これによって電球を回転させやすくし、電球を強くつかむ必要がなくなる。また器具を使って脱着が容易になることを特徴とする。【選択図】図１
2019169456.tif 000002
【特許請求の範囲】
【請求項１】
ＬＥＤや放電管などの発光体と、この発光体を覆う電球と一体に構成され、外部のソケットに電球を取り付けられることで上記発光体に通電する口金とを有し、
上記電球の形状を多角形とした、
ことを特徴とする電球。
【請求項２】
ＬＥＤや放電管などの発光体と、この発光体を覆う電球と一体に構成され、外部のソケットに電球を取り付けられることで上記発光体に通電する口金とを有し、
上記電球の表面の少なくとも一部分に、平面部又は凹部を少なくとも１か所に設けた、
ことを特徴とする電球。
【請求項３】
ＬＥＤや放電管などの発光体と、この発光体を覆う電球と一体に構成され、外部のソケットに電球を取り付けられることで上記発光体に通電する口金とを有し、
上記電球の表面から突出した取手を設けた、
ことを特徴とする電球。
【請求項４】
上記請求項１〜３のいずれかの電球の形状に対応した形状の凹部を有する治具と、この治具に取り付けられた柄を有し、この柄を回転させることで治具を回転させて、電球を回転させることを特徴とする電球の交換治具。
【発明の詳細な説明】
【技術分野】
【０００１】  この発明は照明装置に使用される、電球に関するものである。
【背景技術】
【０００２】  一般に販売されている電球は丸い形となっている。また、電球を取り付けるのは、基本的に高所作業である。この電球を交換するための器具がこれまで数多く提案されている。
例えば、転がり防止のために電球の形状を変形したものがある。【０００３】  従来、ＬＥＤや放電管などの発光体を覆う電球は球状である。しかし球状であると手や器具でつかみにくいという問題がある。また、電球は通常高所にあるため、脱着をする際の作業に危険を伴う。電球を脱着する際には電球を支えつつ、ネジを回転させなければならない。そのためには電球を掴み、つかんだ手の摩擦力で電球の接線方向に力を加えなければならない。そのため電球に対して支える力（鉛直上向き）、つかむ力（水平方向かつ球の中心方向）、回す力（水平方向かつ球の接線方向）のさん方向の力を同時に働かせなければならない。またつかむ力は電球が割れないように力を加減する必要がある。
これまで電球の形状を変える方法に関して、電球が転がって破損しないために、電球の一部を平面にすることが提案されている。（特許文献１）
また高所の電球を交換するために、電球をつかむための道具が考案されている。（特許文献２）
【先行技術文献】
【特許文献】
【０００４】
【特許文献１】特許第４３１１０５２号
【特許文献２】特開２０１１−４０２６６号
【発明の概要】
【発明が解決しようとする課題】
【０００５】  従来の電球は丸いため、これを掴もうとすると丸くて滑り、また脱着する際にも回しにくいといった問題があった。
また、従来の電球交換器具は、電球を保持する力が弱く、不安定であるため、電球を落とす危険があった。さらに、従来の電球は、転がり防止のために形状を変形させるだけに限られていた。
そのため、以下のような問題があった。
１．特許文献１では電球の形状を変える目的が電球の転がり防止に限られていた。
２．特許文献２では電球が球状であるため電球を回転させる力が小さく不安定だった。
【課題を解決するための手段】
【０００６】  本発明は、上述の課題を解決するためになされたものであって、本発明の一の観点にかかる電球は、ＬＥＤや放電管などの発光体と、この発光体を覆う電球と一体に構成され、外部のソケットに電球を取り付けられることで上記発光体に通電する口金とを有し、上記電球の形状を多角形とした、ことを特徴とする。【０００７】  また、本発明の別の観点にかかる電球は、ＬＥＤや放電管などの発光体と、この発光体を覆う電球と一体に構成され、外部のソケットに電球を取り付けられることで上記発光体に通電する口金とを有し、上記電球のカバーの表面の少なくとも一部分に、平面部又は凹部を少なくとも１か所に設けた、ことを特徴とする。【０００８】  本発明の別の観点にかかる電球は、ＬＥＤや放電管などの発光体と、この発光体を覆う電球と一体に構成され、外部のソケットに電球を取り付けられることで上記発光体に通電する口金とを有し、上記電球の表面から突出した取手を設けたことを特徴とする。【０００９】  本発明の一の観点にかかる電球の交換治具は、上記いずれかの電球の形状に対応した形状の凹部を有する治具と、この治具に取り付けられた柄を有し、この柄を回転させることで治具を回転させて、電球を回転させることを特徴とする。
【発明の効果】
【００１０】  本発明によれば、電球を回転させやすくし、電球を強くつかむ必要がなくなる。また器具を使って脱着が容易にすることができるし、電球を握りやすくなり、回しやすくなる。
また、交換器具を使うことで、踏み台などを使わなくても電球を容易に交換できる。
さらに、従来の電球設備に設置できるため、コストが従来品と比べて大差ない。
【図面の簡単な説明】
【００１１】
【図１】  第１の実施形態にかかる側面模式図。
【図２】  第２の実施形態にかかる側面模式図。
【図３】  第３の実施形態にかかる側面模式図。
【図４】  第４の実施形態にかかる側面模式図。
【図５】  溝を有する電球の模式図。
【発明を実施するための形態】
【００１２】  以下、本発明を実施するための形態について説明する。
電球は、ＬＥＤや放電管などの発光体と、この発光体を覆う電球と一体に構成され、外部のソケットに電球を取り付けられることで上記発光体に通電する口金とを有している。
【００１３】  図１に第１の実施形態を示す。図１の例では、電球を多角形にした例である。
図１に示すように、電球１０１の形状を六角形などの多角形とし、口金１０２は通常の電球と同様に円柱状とする。口金１０２は通常の電球と同じであるため、一般的な電球ソケットに設置することができる。第１の実施形態によれば電球１０１が多角形であるため電球１０１を回転させるとき回しやすくなる。この電球１０１の形状は六角形だけに限られず多角形であればよい。
【００１４】  図２に第２の実施形態を示す。図２の例では、電球の少なくとも一部に、平面部または凸部を設けた例である。
図２に示すように、電球１０１の表面の一部分に、平面部２０１又は凹部２０２とし、口金１０２は通常の電球と同様の形状とする。平面部２０１又は凹部２０２は、電球１０１の全面ではなくその一部に１カ所又は複数個所設けられている。
このように、第２の実施形態によれば、平面部２０１または凹面２０２に指をかけることで電球１０１を回転させるときに回しやすくなる。
【００１５】  図３に第３の実施形態を示す。図３の例では、図３のように電球の表面から突出した取手をつけた例である。
図３に示すように、電球１０１に取手３０１をつけ、口金１０２は通常の電球と同様の形状とする。取手３０１は、この例では電球１０１の中心から対称となる位置に１カ所ずつ、合計２か所に設けた例である。取手３０１はこれに限らず、電球の中心から対称となる位置に４カ所でもよい。また３か所設けてもよく任意である。
これにより、第３の実施形態によれば、取手３０１に指をかけることで電球１０１を回転させるときに回しやすくなる。
【００１６】  図４に第４の実施形態を示す。図４に示した例では、図１に示した六角形の電球１０１に対応した六角形状の穴４０１を備えた治具により、電球１０１を回転させるようにしたものである。この治具は、柄４０２に取り付けられており、治具中央に多角形上の電球１０１に応じた形状をした穴４０１が形成されている。
これにより、電球１０１に穴４０１を合わせ、柄４０２を回転させて電球１０１を交換することができ、踏み台を利用せずに高所の電球を交換できるようになる。
【００１７】  なお、治具に穴４０１の形状は、上述の実施形態１〜３に示した電球１０１の形状に合わせた形状としてもよい。
【００１８】  図５に示した例では図１に示した六角形の電球１０１に溝５０１を加工し、その溝５０１に対応した平板５０２によって電球１０１を回転させるようにしたものである。
これにより、電球１０１の溝５０１に平板５０２をはめて回転させて電球を交換することができ、踏み台を利用せずに高所の電球を交換できるようになる。
【符号の説明】
【００１９】１０１  電球
１０２  口金
２０１  平面部
２０２  凹面部
３０１  取手
４０１  穴
４０２  柄
５０１  溝
５０２  平板
【図１】
2019169456.tif 000003
【図２】
2019169456.tif 000004
【図３】
2019169456.tif 000005
【図４】
2019169456.tif 000006
【図５】
2019169456.tif 000007